(57)【要約】【課題】冷却及び断熱効率を高めることができ、省スペースを図れる断熱装置及びこれを用いた画像形成装置を提供する。【解決手段】断熱ユニット１０は、熱遮蔽板１１、ヒートパイプ１２、ヒートシンク１３及び放熱部１４によって構成し、発熱部である定着ユニット１と冷却対象部である現像ユニット２の間に設ける。熱遮蔽板１１は、吸熱面１１ａと放熱面１１ｂとを有し、定着ユニット１側に吸熱面１１ａを向け、ヒートパイプ１２側に放熱面１１ｂを向ける。これにより、定着ユニット１からの熱が現像ユニット２へ伝わりにくくなる。また定着ユニット１が内蔵するヒータ等が発生させた熱をヒートシンク１３で受け、受けた熱をヒートパイプ１２によって放熱部１４に伝えて放熱して冷却することで熱の交換を行う。そのため冷却効率が高くなり、各ユニットの形状を自由に構成でき、省スペース化を図ることができる。【選択図】        図１
2005017552.tif 000002
【特許請求の範囲】
【請求項１】
発熱部と冷却対象部との間に配する断熱装置であって、熱遮蔽板、ヒートパイプ、ヒートシンク及び放熱部材からなり、上記熱遮蔽板が吸熱性の鋼板かならることを特徴とする断熱装置。
【請求項２】
請求項１の断熱装置において、上記熱遮蔽板を上記冷却対象部と上記ヒートパイプの間に設けてなることを特徴とする断熱装置。
【請求項３】
請求項２の断熱装置において、上記ヒートパイプ側に上記熱遮蔽板の吸熱側を向け、上記冷却対象部側に上記熱遮蔽板の放熱側を向けてなることを特徴とする断熱装置。
【請求項４】
請求項１の断熱装置において、上記熱遮蔽板を上記発熱部とヒートパイプの間に設けてなることを特徴とする断熱装置。
【請求項５】
請求項４の断熱装置において、上記発熱部側に上記熱遮蔽板の吸熱側を向け、上記ヒートパイプ側に上記熱遮蔽板の放熱側を向けてなることを特徴とする断熱装置。
【請求項６】
請求項１ないし５のいずれかの断熱装置において、上記熱遮蔽板を複数枚設けることを特徴とする断熱装置。
【請求項７】
請求項１ないし６のいずれかの断熱装置において、上記ヒートパイプと上記熱遮蔽板との間に冷却風を流す手段を有することを特徴とする断熱装置。
【請求項８】
請求項１ないし７のいずれかの断熱装置において、上記放熱部材を上記発熱部と上記冷却対象部との間の部位から外れた位置に配してなることを特徴とする断熱装置。
【請求項９】
請求項１ないし８のいずれかの断熱装置を用いたことを特徴とする画像形成装置。
【請求項１０】
請求項１ないし６のいずれかの断熱装置を用い、上記ヒートパイプと上記熱遮蔽板との間に冷却風を流す手段を有することを特徴とする画像形成装置。
【請求項１１】
請求項９または１０の画像形成装置において、上記発熱部が定着装置であり、上記冷却対象部が現像装置であることを特徴とする画像形成装置。
【請求項１２】
請求項１１の画像形成装置において、上記放熱部材を上記定着装置と上記現像装置との間の部位から外れた位置に配してなることを特徴とする画像形成装置。
【発明の詳細な説明】
【０００１】
【発明の属する技術分野】
本発明は、断熱装置及び、これを用いた複写機、プリンタ、ファクシミリ等の画像形成装置に関する。
【０００２】
【従来の技術】
近年、複写機等の画像形成装置においては高速化、デジタル化、カラー化による機能向上に伴い、機械構成部品が増え、ポリゴンモータやハードディスク等の発熱する部品も増えてゆくのに対して、機械、装置としてのサイズはよりいっそう小型化に向かっている。
【０００３】
【発明が解決しようとする課題】
そのため、相対的に部品間のスペースが小さくなることで、発熱密度が増大しており、従来公知のダクトを用いた空冷方式を使うことができにくい場所が装置内に生じるようになってきている。特に高画質化を図る際においては、熱による影響が今まで以上に重要となっており、省スペースでの冷却技術が必要となっている。
【０００４】
本発明は上記従来の問題点にかんがみてなしたもので、さらに余分な熱を効率よく冷却するための断熱装置及びこれを用いた画像形成装置を提供することを目的とする。
【０００５】
【課題を解決するための手段】
本発明の請求項１に係る断熱装置は、上記目的を達成するために、発熱部と冷却対象部との間に配する断熱装置であって、熱遮蔽板、ヒートパイプ、ヒートシンク及び放熱部材からなり、上記熱遮蔽板が吸熱性の鋼板かなることを特徴とする。
【０００６】
同請求項２に係るものは、上記目的を達成するために、請求項１の断熱装置において、上記熱遮蔽板を上記冷却対象部と上記ヒートパイプの間に設けてなることを特徴とする。
【０００７】
同請求項３に係るものは、上記目的を達成するために、請求項２の断熱装置において、上記ヒートパイプ側に上記熱遮蔽板の吸熱側を向け、上記冷却対象部側に上記熱遮蔽板の放熱側を向けてなることを特徴とする。
【０００８】
同請求項４に係るものは、上記目的を達成するために、請求項１の断熱装置において、上記熱遮蔽板を上記発熱部とヒートパイプの間に設けてなることを特徴とする。
【０００９】
同請求項５に係るものは、上記目的を達成するために、請求項４の断熱装置において、上記発熱部側に上記熱遮蔽板の吸熱側を向け、上記ヒートパイプ側に上記熱遮蔽板の放熱側を向けてなることを特徴とする。
【００１０】
同請求項６に係るものは、上記目的を達成するために、請求項１ないし５のいずれかの断熱装置において、上記熱遮蔽板を複数枚設けることを特徴とする。
【００１１】
同請求項７に係るものは、上記目的を達成するために、請求項１ないし６のいずれかの断熱装置において、上記ヒートパイプと上記熱遮蔽板との間に冷却風を流す手段を有することを特徴とする。
【００１２】
同請求項８に係るものは、上記目的を達成するために、請求項１ないし７のいずれかの断熱装置において、上記放熱部材を上記発熱部と上記冷却対象部との間の部位から外れた位置に配してなることを特徴とする。
【００１３】
同請求項９に係るものは、上記目的を達成するために、請求項１ないし８のいずれかの断熱装置を用いたことを特徴とする。
【００１４】
同請求項１０に係るものは、上記目的を達成するために、請求項１ないし６のいずれかの断熱装置を用い、上記ヒートパイプと上記熱遮蔽板との間に冷却風を流す手段を有することを特徴とする。
【００１５】
同請求項１１に係るものは、上記目的を達成するために、請求項９または１０の画像形成装置において、上記発熱部が定着装置であり、上記冷却対象部が現像装置であることを特徴とする。
【００１６】
同請求項１２に係るものは、上記目的を達成するために、請求項１１の画像形成装置において、上記放熱部材を上記定着装置と上記現像装置との間の部位から外れた位置に配してなることを特徴とする。
【００１７】
【発明の実施の形態】
以下本発明の実施の形態を図面を参照して説明する。
図１は、本発明に係る断熱装置の第１実施形態を用いた画像形成装置の概念的断面図（Ａ）と、要部拡大断面図（Ｂ）、及び本発明に係る断熱装置の第１実施形態の概念的断面図（Ｃ）である。図中１は定着装置（以下、各装置に置いてユニット化されたものである場合には定着ユニット等のように表記する。）、２は現像ユニット、３は排紙ユニット、４は両面ユニット、５は搬送ベルト、６は転写ユニット、７は給紙ユニット、８はスキャナユニット、９はポリゴンモータ、１０は本発明に係る断熱装置の第１実施形態である断熱ユニットである。
【００１８】
断熱ユニット１０は、熱遮蔽板１１、ヒートパイプ１２、ヒートシンク１３及び放熱部１４によって構成してあり、発熱部である定着ユニット１と冷却対象部である現像ユニット２の間に位置し、放熱部１４が両ユニット１、２の間から外れた位置に突出させて設けてある。
【００１９】
熱遮蔽板１１は、吸熱面１１ａと放熱面１１ｂとを有し、定着ユニット１側に吸熱面１１ａを向け、ヒートパイプ１２側に放熱面１１ｂを向けてある。
【００２０】
すなわち本実施形態では、定着ユニット１からの熱が現像ユニット２へ伝わりにくくなるとともに、定着ユニット１が内蔵するヒータ等が発生させた熱をヒートシンク１３で受け、受けた熱をヒートパイプ１２によって放熱部１４に伝えて放熱して冷却することで、熱の交換を行うようになっている。そのため冷却効率が高くなり、各ユニットの形状を自由に構成でき、省スペース化を図ることができる。
【００２１】
図２は、本発明に係る断熱装置の第２実施形態を用いた画像形成装置の要部拡大断面図である。本実施形態の断熱ユニット１０は、断熱ユニット１０で現像ユニット２とヒートパイプ１２の間に熱遮蔽板１１を設け、現像ユニット２側に熱遮蔽板の吸熱面１１ａ、ヒートパイプ１２側に熱遮蔽板の放熱面１１ｂとなるように構成している。このように構成することで、定着ユニット１からの熱を現像ユニット２によりいっそう伝わりにくくしてある。その他の構造は第１実施形態と同様であり、その他の構成、作用も先の実施形態と同様である。
【００２２】
図３は、本発明に係る断熱装置の第３実施形態に係る断熱装置の断面図である。本実施形態の断熱ユニット１０は、熱遮蔽板１１を複数枚設けて構成してある。熱遮蔽板１１を複数枚設ける構成とすることで、定着ユニット１での温度と現像ユニット２で許容温度差が大きい場合でも効率よく断熱することができる。その他の構造は第１実施形態と同様であり、その他の構成、作用も先の実施形態と同様である。
【００２３】
図４、本発明に係る断熱装置を用いた画像形成装置の一実施形態の要部拡大斜視図である。本実施形態は、ヒートパイプ１２と熱遮蔽板１１がダクトとして構成したもので、画像形成装置内部の断熱ユニット１０近傍に送風ファン１５を設けることによって、ヒートパイプ１２と熱遮蔽板１１の間に送風ファン１５によって風を送り込み、ヒートパイプ１２と熱遮蔽板１１の間を冷風が流れるようにし、空冷方式によって冷却効率等をさらに上昇させることができるようにしてある。すなわち熱源となる定着ユニット１と冷却対象部である現像ユニット２との温度差が大きい場合でも冷却効率及び断熱効率を高め得る。なお送風ファンは断熱装置を構成するものとして設けても、画像形成装置を構成するものとして設けてもいずれでもよい。
【００２４】
以上説明してきた実施形態は、断熱装置を定着ユニットと現像ユニットの間に設ける例のみであるが、本発明はこれに限定されず、種々の装置のいろいろな発熱部と冷却対象部との間に配置することができる。
【００２５】
【発明の効果】
本発明に係る断熱装置及び画像形成装置は、以上説明してきたようなものなので、冷却及び断熱効率を高めることができ、そのぶん省スペースを図れる。
【図面の簡単な説明】
【図１】本発明に係る断熱装置の第１実施形態を用いた画像形成装置の概念的断面図（Ａ）と、要部拡大断面図（Ｂ）、及び本発明に係る断熱装置の第１実施形態の概念的断面図（Ｃ）である。
【図２】本発明に係る断熱装置の第２実施形態を用いた画像形成装置の要部拡大断面図である。
【図３】本発明に係る断熱装置の第３実施形態に係る断熱装置の断面図である。
【図４】本発明に係る断熱装置を用いた画像形成装置の一実施形態の要部拡大斜視図である。
【符号の説明】
１  定着装置
２  現像ユニット
３  排紙ユニット
４  両面ユニット
５  搬送ベルト
６  転写ユニット
７  給紙ユニット
８  スキャナユニット
９  ポリゴンモータ
１０  断熱ユニット
１１  熱遮蔽板
１１ａ  吸熱面
１１ｂ  放熱面
１２  ヒートパイプ
１３  ヒートシンク
１４  放熱部
１５  送風ファン
【図１】
2005017552.tif 000003
【図２】
2005017552.tif 000004
【図３】
2005017552.tif 000005
【図４】
2005017552.tif 000006